(57)【特許請求の範囲】
【請求項１】
立体視映像表示用の映像信号から背景と前景とを分離する分離手段と、
前記分離手段で分離された背景及び前景の映像信号に対して最大奥行き位置と最大飛出し位置とをそれぞれ独立に調整する調整手段とを具備する立体視映像処理装置。
【請求項２】
前記調整手段は、前記分離手段で分離された背景及び前景の映像信号に対して最大奥行き位置と最大飛出し位置とをそれぞれ独立に設定する操作を行なわせるための入力手段を備える請求項１記載の立体視映像処理装置。
【請求項３】
前記入力手段は、奥行き調整操作画面を表示し、当該奥行き調整操作画面上で、背景及び前景の映像信号に対して最大奥行き位置と最大飛出し位置とをそれぞれ独立に設定する操作を行なわせる請求項２記載の立体視映像処理装置。
【請求項４】
前記奥行き調整操作画面は、立体視表示映像の一部に重ねて表示される請求項３記載の立体視映像処理装置。
【請求項５】
前記奥行き調整操作画面は、背景の映像信号に対して最大奥行き位置と最大飛出し位置とをそれぞれ独立に設定するための第１のアイコンと、前景の映像信号に対して最大奥行き位置と最大飛出し位置とをそれぞれ独立に設定するための第２のアイコンとを表示する請求項３記載の立体視映像処理装置。
【請求項６】
前記入力手段で設定された背景及び前景の映像信号に対する最大奥行き位置と最大飛出し位置とを、立体視映像表示モードに対応させて保存する保存手段を備える請求項２記載の立体視映像処理装置。
【請求項７】
前記調整手段は、背景及び前景の映像信号に対する最大奥行き位置と最大飛出し位置とが、立体視映像表示モードに対応して予め保存されている保存手段から、立体視映像表示モードを指定して背景及び前景の映像信号に対する最大奥行き位置と最大飛出し位置とを読み出し、前記分離手段で分離された背景及び前景の映像信号に対する調整に供させる請求項１記載の立体視映像処理装置。
【請求項８】
分離手段により、立体視映像表示用の映像信号から背景と前景とを分離し、
調整手段により、前記分離手段で分離された背景及び前景の映像信号に対して最大奥行き位置と最大飛出し位置とをそれぞれ独立に調整する立体視映像処理方法。
【請求項９】
立体視映像表示用の映像信号から背景と前景とを分離する処理と、
分離された背景及び前景の映像信号に対して最大奥行き位置と最大飛出し位置とをそれぞれ独立に調整する処理とを、コンピュータに実行させる立体視映像処理用プログラム。
【発明の詳細な説明】
【技術分野】
【０００１】
この発明の実施の形態は、立体視映像処理装置、立体視映像処理方法及び立体視映像処理用プログラムに関する。
【背景技術】
【０００２】
周知のように、従来より、平面的な映像表示画面を用いてユーザに立体感のある映像を認識させる技術の開発が進められている。この技術は、相互に人間の両目の間隔に対応した視差を有する２種類の映像を用意し、右目用映像をユーザの右目に視認させ、左目用映像をユーザの左目に視認させることにより立体視を行なうものである。【０００３】
一例としては、右目用映像と左目用映像とを同一の映像表示画面に交互に表示させ、ユーザの装着した立体視用眼鏡に対して、右目用映像の表示時に左目のシャッタを閉じ、左目用映像の表示時に右目のシャッタを閉じるように制御することで、ユーザに立体視映像を認識させる、いわゆる、シャッタ眼鏡方式が実用化され市場に普及している。【０００４】
また、映像表示画面上に視点の異なる多数の視差映像を表示させ、該画面を覆うレンズやバリア等の光線制御素子により当該視差映像からの光線の出射方向を制御することにより、立体視用眼鏡を使用することなくユーザが立体視映像を認識することができるようにした、いわゆる、多視差方式による裸眼型の立体視映像表示技術も実用化されている。【０００５】
ところで、ユーザには、目に優しく緩やかな立体感の映像、つまり、飛出し／奥行き量が小さい映像を好むタイプや、立体感の強調された映像、つまり、飛出し／奥行き量が大きい映像を好むタイプ等が存在する。また、被写体としても、風景映像は背景の奥行きの広がり感が重視されるのに対し、品物を詳細に映す物撮り映像では物体内部の凹凸感が重視される。【０００６】
しかしながら、現在の立体視映像表示技術においては、飛出し／奥行き量として、最大飛出し位置と最大奥行き位置との２点が調整可能となっているだけである。このため、ユーザの好みや表示する被写体等に応じて細かく飛出し／奥行き量を調整することができず、最適な立体感での映像表示が行なえていないものである。
【先行技術文献】
【特許文献】
【０００７】
【特許文献１】特開２０１１−１７６８２３号公報
【特許文献２】特開２００３−２０９８５８号公報
【発明の概要】
【発明が解決しようとする課題】
【０００８】
立体視表示映像の背景と前景とについて最大飛出し位置と最大奥行き位置とをそれぞれ独立に調整可能とすることにより、ユーザの好みや被写体等に適した立体感での映像表示を行なうことができるようにした立体視映像処理装置、立体視映像処理方法及び立体視映像処理用プログラムを提供することを目的とする。
【課題を解決するための手段】
【０００９】
実施の形態によれば、立体視映像処理装置は、分離手段と調整手段とを備える。分離手段は、立体視映像表示用の映像信号から背景と前景とを分離する。調整手段は、分離手段で分離された背景及び前景の映像信号に対して最大奥行き位置と最大飛出し位置とをそれぞれ独立に調整する。
【発明の効果】
【００１０】
立体視表示映像の背景と前景とについて最大飛出し位置と最大奥行き位置とをそれぞれ独立に調整可能とすることにより、ユーザの好みや被写体等に適した立体感での映像表示を行なうことができるようにした立体視映像処理装置、立体視映像処理方法及び立体視映像処理用プログラムを提供することができる。
【図面の簡単な説明】
【００１１】
【図１】実施の形態としてのデジタルテレビジョン放送受信装置の信号処理系の一例を概略的に説明するために示すブロック構成図である。
【図２】同実施の形態におけるデジタルテレビジョン放送受信装置で使用されるリモートコントローラの一例を説明するために示す外観図である。
【図３】同実施の形態におけるデジタルテレビジョン放送受信装置に設けられた奥行き量調整部の一例を説明するために示すブロック構成図である。
【図４】同実施の形態における奥行き量調整部の動作の一例を説明するために示す図である。
【図５】同実施の形態における奥行き量調整部によって表示される奥行き調整操作画面の表示位置の一例を説明するために示す図である。
【図６】同実施の形態における奥行き調整操作画面の一例を説明するために示す図である。
【図７】同実施の形態における奥行き調整操作画面を用いて奥行き調整を行なった場合の一例を説明するために示す図である。
【図８】同実施の形態におけるデジタルテレビジョン放送受信装置が表示するモード設定画面の一例を説明するために示す図である。
【発明を実施するための形態】
【００１２】
以下、実施の形態について図面を参照して詳細に説明する。実施の形態によれば、立体視映像処理装置は、分離手段と調整手段とを備える。分離手段は、立体視映像表示用の映像信号から背景と前景とを分離する。調整手段は、分離手段で分離された背景及び前景の映像信号に対して最大奥行き位置と最大飛出し位置とをそれぞれ独立に調整する。
【００１３】
図１は、この実施の形態で説明するデジタルテレビジョン放送受信装置１１の信号処理系を概略的に示している。なお、このデジタルテレビジョン放送受信装置１１は、通常の平面視（２次元）表示用の映像信号に基づく映像表示を行なうだけでなく、立体視（３次元）表示用の映像信号に基づく映像表示も行なうことができる。
【００１４】
すなわち、アンテナ１２で受信したデジタルテレビジョン放送信号は、入力端子１３を介してチューナ部１４に供給されることにより、所望のチャンネルの放送信号が選局される。そして、このチューナ部１４で選局された放送信号は、復調復号部１５に供給されてデジタルの映像信号及び音声信号等に復元された後、信号処理部１６に出力される。
【００１５】
この信号処理部１６は、復調復号部１５から供給されたデジタルの映像信号及び音声信号に対してそれぞれ所定のデジタル信号処理を施している。この信号処理部１６が行なう所定のデジタル信号処理には、詳細は後述するが、通常の平面視表示用の映像信号を立体視表示用の映像信号に変換する処理や、この変換された立体視表示用の映像信号の奥行き量を調整する処理等も含まれている。
【００１６】
そして、この信号処理部１６は、デジタルの映像信号を合成処理部１７に出力し、デジタルの音声信号を音声処理部１８に出力している。このうち、合成処理部１７は、信号処理部１６から供給されるデジタルの映像信号に、ＯＳＤ（on screen display）信号を重畳して出力している。そして、合成処理部１７から出力されたデジタルの映像信号は、映像処理部１９に供給される。
【００１７】
この映像処理部１９は、入力されたデジタルの映像信号を、後段の、例えば液晶表示パネル等を有する平面型の映像表示部２０で表示可能なフォーマットに変換している。そして、この映像処理部１９から出力された映像信号が、映像表示部２０に供給されて映像表示に供される。
【００１８】
また、この映像処理部１９は、合成処理部１７から供給される映像信号が立体視表示用の映像信号である場合、その右目用映像信号と左目用映像信号とに対して、フレーム単位で交互に倍速で出力する処理や、オーバードライブ技術を用いた３次元クロストークの低減処理等を施している。
【００１９】
さらに、この映像処理部１９は、合成処理部１７から供給される映像信号が立体視表示用の映像信号である場合、右目用映像を映像表示している期間と、左目用映像を映像表示している期間とをそれぞれ示すシャッタ制御信号を生成し、図示しない立体視用眼鏡に出力している。
【００２０】
このため、上記立体視用眼鏡は、映像処理部１９から供給されるシャッタ制御信号に基づいて、右目用映像が表示されるときに左目のシャッタを閉じ、左目用映像が表示されるときに右目のシャッタを閉じるように制御され、これにより、ユーザに立体視映像が認識されることになる。
【００２１】
また、上記音声処理部１８は、入力されたデジタルの音声信号を、後段のスピーカ２１で再生可能なフォーマットのアナログ音声信号に変換している。そして、この音声処理部１８から出力されたアナログ音声信号が、スピーカ２１に供給されることにより音声再生に供される。
【００２２】
ここで、このデジタルテレビジョン放送受信装置１１は、上記した各種の受信動作を含むその全ての動作を制御部２２によって統括的に制御されている。この制御部２２は、ＣＰＵ（central processing unit）２２ａを内蔵しており、デジタルテレビジョン放送受信装置１１の本体に設置された操作部２３からの操作情報を受けて、または、リモートコントローラ２４から送出され受信部２５で受信した操作情報を受けて、その操作内容が反映されるように各部をそれぞれ制御している。
【００２３】
この場合、制御部２２は、メモリ部２２ｂを利用している。このメモリ部２２ｂは、主として、ＣＰＵ２２ａが実行する制御プログラムを格納したＲＯＭ（read only memory）と、該ＣＰＵ２２ａに作業エリアを提供するためのＲＡＭ（random access memory）と、各種の設定情報及び制御情報等が格納される不揮発性メモリとを有している。
【００２４】
また、この制御部２２には、ＨＤＤ（hard disk drive）２６が接続されている。この制御部２２は、ユーザによる操作部２３やリモートコントローラ２４等の操作に基づいて、上記信号処理部１６で復元したデジタルの映像信号や音声信号等を、ＨＤＤ２６に供給してハードディスク２６ａに記録させるように制御することができる。
【００２５】
さらに、この制御部２２は、ユーザによる操作部２３やリモートコントローラ２４等の操作に基づいて、ＨＤＤ２６によりハードディスク２６ａからデジタルの映像信号や音声信号等を読み出させ、信号処理部１６に供給することにより、以後、上記した映像表示及び音声再生に供させるように制御することができる。
【００２６】
また、上記制御部２２には、ネットワークインターフェース２７が接続されている。このネットワークインターフェース２７は、例えばインターネット等のネットワーク回線網（図示せず）に接続されている。そして、このネットワーク回線網には、当該ネットワーク回線網を介した通信機能を利用して各種のサービスを提供するためのネットワークサーバが接続されている。
【００２７】
このため、制御部２２は、ユーザによる操作部２３やリモートコントローラ２４の操作に基づき、ネットワークインターフェース２７及びネットワーク回線網を介して、ネットワークサーバにアクセスして情報通信を行なうことにより、そこで提供しているサービスを利用することができるようになっている。
【００２８】
図２は、上記リモートコントローラ２４の外観を示している。このリモートコントローラ２４には、主として、電源キー２４ａ、数字キー２４ｂ、チャンネルアップダウンキー２４ｃ、音量調整キー２４ｄ、カーソル上移動キー２４ｅ、カーソル下移動キー２４ｆ、カーソル左移動キー２４ｇ、カーソル右移動キー２４ｈ、決定キー２４ｉ、メニューキー２４ｊ、戻るキー２４ｋ、終了キー２４ｌ、４色（青，赤，緑，黄）のカラーキー２４ｍ等が設けられている。
【００２９】
また、このリモートコントローラ２４には、再生停止キー２４ｎ、再生／一時停止キー２４ｏ、逆方向スキップキー２４ｐ、順方向スキップキー２４ｑ、早戻しキー２４ｒ、早送りキー２４ｓ等が設けられている。すなわち、上記ＨＤＤ２６に対しては、リモートコントローラ２４の再生停止キー２４ｎや再生／一時停止キー２４ｏを操作することによって、再生、停止、一時停止を行なうことが可能となる。
【００３０】
また、リモートコントローラ２４の逆方向スキップキー２４ｐや順方向スキップキー２４ｑを操作することによって、ＨＤＤ２６でハードディスク２６ａから読み取っている映像や音声等のデータを、その再生方向に対して逆方向や順方向に一定量ずつスキップさせる、いわゆる、逆方向スキップや順方向スキップを行なうことができる。
【００３１】
さらに、リモートコントローラ２４の早戻しキー２４ｒや早送りキー２４ｓ等を操作することにより、ＨＤＤ２６でハードディスク２６ａから読み取っている映像や音声等のデータを、その再生方向に対して逆方向や順方向に連続的に高速で再生させる、いわゆる、早戻し再生や早送り再生を行なうことができる。
【００３２】
図３は、上記信号処理部１６に設けられる奥行き量調整部２８の一例を示している。この奥行き量調整部２８は、通常の平面視表示用の映像信号を立体視表示用の映像信号に変換し、この変換された立体視表示用の映像信号の飛出し／奥行き量を調整する機能を有する。すなわち、この奥行き量調整部２８は、上記復調復号部１５で復元された平面視表示用の映像信号が供給される入力端子２９を備えている。
【００３３】
この入力端子２９に供給された平面視表示用の映像信号は、映像格納部３０に供給されて、例えば１フレーム分の映像信号が格納される。そして、この映像格納部３０に格納された映像信号は、前景背景分離部３１に供給されて前景と背景とに分離される。
【００３４】
すなわち、映像格納部３０から読み出された平面視表示用の映像信号は、輪郭検出部３１ａに供給される。この輪郭検出部３１ａは、入力された映像信号から輪郭成分を検出することにより、入力映像を前景と背景とに分離している。
【００３５】
図４（ａ）は、上記映像格納部３０から読み出された映像信号に対応する映像、つまり、前景背景分離部３１に入力される映像の一例を示し、図４（ｂ）は、輪郭検出部３１ａから出力される前景の映像信号に対応する映像、つまり、前景背景分離部３１で分離された前景映像の一例を示している。
【００３６】
この前景背景分離部３１で分離された映像信号の前景と背景とは、数画素でなるブロック単位で奥行き調整部３２に供給される。この奥行き調整部３２は、ブロック単位で入力された映像信号に対して立体視映像を生成するための飛出し／奥行き量を設定している。また、この奥行き調整部３２は、奥行き調整ＵＩ（user interface）３３から出力される前景奥行き調整情報に基づいて、入力された映像信号の前景に対する最大飛出し位置と最大奥行き位置とをそれぞれ独立に調整する。さらに、この奥行き調整部３２は、奥行き調整ＵＩ３３から出力される背景奥行き調整情報に基づいて、入力された映像信号の背景に対する最大飛出し位置と最大奥行き位置とをそれぞれ独立に調整する。
【００３７】
そして、上記奥行き調整部３２により、前景及び背景について最大飛出し位置と最大奥行き位置とがそれぞれ独立に調整された映像信号は、視差映像生成部３４に供給されて、例えば右目用映像信号と左目用映像信号とが生成された後、出力端子３５を介して上記合成処理部１７に供給される。
【００３８】
ここで、上記奥行き調整ＵＩ３３は、図５に示すように、映像表示部２０の表示画面２０ａの右下隅に、立体視映像信号による表示映像に重ねて奥行き調整操作画面３６を表示させている。この奥行き調整操作画面３６は、ユーザがリモートコントローラ２４のメニューキー２４ｊを操作して、階層構造となされた複数のメニュー画面に分け入ることにより表示させることができる。
【００３９】
そして、この奥行き調整ＵＩ３３は、奥行き調整操作画面３６上でユーザがリモートコントローラ２４を操作した操作情報が、入力端子３７を介して供給されることにより、前景についての最大飛出し位置と最大奥行き位置とを指定する前景奥行き調整情報と、背景についての最大飛出し位置と最大奥行き位置とを指定する背景奥行き調整情報とを生成している。
【００４０】
図６は、上記奥行き調整操作画面３６の一例を示している。この奥行き調整操作画面３６は、このデジタルテレビジョン放送受信装置１１で表現可能な飛出し／奥行き量を、垂直方向の線分Ｌの長さで表わしている。そして、線分Ｌの中央部を映像表示部２０の表示画面２０ａに対応する画面位置Ａ１とし、線分Ｌの上端部を最大奥行き位置Ａ２とし、線分Ｌの下端部を最大飛出し位置Ａ３としている。
【００４１】
ここで、この奥行き調整操作画面３６には、飛出し／奥行き量に対応する線分Ｌに沿って、背景の映像に対する飛出し／奥行き量を調整するための背景調整用アイコンＢと、前景の映像に対する飛出し／奥行き量を調整するための前景調整用アイコンＣとが表示されている。このうち、背景調整用アイコンＢは、その垂直方向の長さが背景に対する飛出し／奥行き量の調整範囲を表わしており、その上端部が背景についての最大奥行き位置を指定するための最大奥行き位置指定端Ｂ１となり、その下端部が背景についての最大飛出し位置を指定するための最大飛出し位置指定端Ｂ２となっている。
【００４２】
そして、ユーザは、リモートコントローラ２４のカーソル上、下、左、右移動キー２４ｅ〜２４ｈを選択的に操作して背景調整用アイコンＢの最大奥行き位置指定端Ｂ１にカーソル（図示せず）を合わせ、決定キー２４ｉを操作すると、最大奥行き位置指定端Ｂ１がカーソルと連動されるようになる。このため、ユーザがカーソル上または下移動キー２４ｅ，２４ｆを選択的に操作すると、最大奥行き位置指定端Ｂ１が線分Ｌに沿って垂直方向に移動されることになる。そして、ユーザが最大奥行き位置指定端Ｂ１の位置を決め、決定キー２４ｉを操作すると、最大奥行き位置指定端Ｂ１のカーソルとの連動が解除され、ここに、背景についての最大奥行き位置が決定されることになる。
【００４３】
また、ユーザは、リモートコントローラ２４のカーソル上、下、左、右移動キー２４ｅ〜２４ｈを選択的に操作して背景調整用アイコンＢの最大飛出し位置指定端Ｂ２にカーソルを合わせ、決定キー２４ｉを操作すると、最大飛出し位置指定端Ｂ２がカーソルと連動されるようになる。このため、ユーザがカーソル上または下移動キー２４ｅ，２４ｆを選択的に操作すると、最大飛出し位置指定端Ｂ２が線分Ｌに沿って垂直方向に移動されることになる。そして、ユーザが最大飛出し位置指定端Ｂ２の位置を決め、決定キー２４ｉを操作すると、最大飛出し位置指定端Ｂ２のカーソルとの連動が解除され、ここに、背景についての最大飛出し位置が決定されることになる。
【００４４】
このようにして、背景に対する最大奥行き位置と最大飛出し位置とが決定されると、奥行き調整ＵＩ３３は、背景についての最大飛出し位置と最大奥行き位置とを指定する背景奥行き調整情報を生成し、上記奥行き調整部３２に出力する。これにより、奥行き調整部３２では、入力された立体視用の映像信号に対して、背景に対する最大飛出し位置と最大奥行き位置とを独立に調整することができる。
【００４５】
また、上記前景調整用アイコンＣは、その垂直方向の長さが前景に対する飛出し／奥行き量の調整範囲を表わしており、その上端部が前景についての最大奥行き位置を指定するための最大奥行き位置指定端Ｃ１となり、その下端部が前景についての最大飛出し位置を指定するための最大飛出し位置指定端Ｃ２となっている。
【００４６】
そして、ユーザは、リモートコントローラ２４のカーソル上、下、左、右移動キー２４ｅ〜２４ｈを選択的に操作して前景調整用アイコンＣの最大奥行き位置指定端Ｃ１にカーソルを合わせ、決定キー２４ｉを操作すると、最大奥行き位置指定端Ｃ１がカーソルと連動されるようになる。このため、ユーザがカーソル上または下移動キー２４ｅ，２４ｆを選択的に操作すると、最大奥行き位置指定端Ｃ１が線分Ｌに沿って垂直方向に移動されることになる。そして、ユーザが最大奥行き位置指定端Ｃ１の位置を決め、決定キー２４ｉを操作すると、最大奥行き位置指定端Ｃ１のカーソルとの連動が解除され、ここに、前景についての最大奥行き位置が決定されることになる。
【００４７】
また、ユーザは、リモートコントローラ２４のカーソル上、下、左、右移動キー２４ｅ〜２４ｈを選択的に操作して前景調整用アイコンＣの最大飛出し位置指定端Ｃ２にカーソルを合わせ、決定キー２４ｉを操作すると、最大飛出し位置指定端Ｃ２がカーソルと連動されるようになる。このため、ユーザがカーソル上または下移動キー２４ｅ，２４ｆを選択的に操作すると、最大飛出し位置指定端Ｃ２が線分Ｌに沿って垂直方向に移動されることになる。そして、ユーザが最大飛出し位置指定端Ｃ２の位置を決め、決定キー２４ｉを操作すると、最大飛出し位置指定端Ｃ２のカーソルとの連動が解除され、ここに、前景についての最大飛出し位置が決定されることになる。
【００４８】
このようにして、前景に対する最大奥行き位置と最大飛出し位置とが決定されると、奥行き調整ＵＩ３３は、前景についての最大飛出し位置と最大奥行き位置とを指定する前景奥行き調整情報を生成し、上記奥行き調整部３２に出力する。これにより、奥行き調整部３２では、入力された立体視用の映像信号に対して、前景に対する最大飛出し位置と最大奥行き位置とを独立に調整することができる。
【００４９】
上記した実施の形態によれば、立体視表示用の映像信号を前景と背景とに分離し、その前景及び背景について最大飛出し位置と最大奥行き位置とをそれぞれ独立に調整可能としたので、ユーザの好みや被写体の種類等に応じて細かく立体感の調整を行なうことができるようになる。
【００５０】
また、前景及び背景について最大飛出し位置と最大奥行き位置とをそれぞれ独立に調整する操作は、奥行き調整操作画面３６上でユーザがリモートコントローラ２４を操作してカーソルを移動させるという単純な作業で容易に行なうことができるため、ユーザにとっての取り扱いを便利にすることができる。
【００５１】
さらに、奥行き調整操作画面３６は、映像表示部２０の表示画面２０ａの隅に立体視映像信号による表示映像に重ねて表示させるようにしたので、ユーザは、実際の立体視表示映像を見ながら立体感の調整を行なうことができ、このような点でも、ユーザにとっての取り扱いを便利にすることができる。
【００５２】
図７（ａ）〜（ｅ）は、それぞれ、前景及び背景について最大飛出し位置と最大奥行き位置とをそれぞれ独立に調整した場合の代表的な例を示している。図７（ａ）〜（ｅ）において、立体視表示映像は、輝度が低いものほど手前に表示されている。すなわち、黒は総奥行き量の最大飛出し位置Ａ３に存在するものを示し、白は総奥行き量の最大奥行き位置Ａ２に存在するものを示している。
【００５３】
図７（ａ）は、背景調整用アイコンＢの最大奥行き位置指定端Ｂ１及び最大飛出し位置指定端Ｂ２をそれぞれ総奥行き量の最大奥行き位置Ａ２及び画面位置Ａ１に合わせ、前景調整用アイコンＣの最大奥行き位置指定端Ｃ１及び最大飛出し位置指定端Ｃ２をそれぞれ総奥行き量の画面位置Ａ１と最大飛出し位置Ａ３との間に置くようにしている。このようにすれば、背景は画面位置Ａ１よりも奥側に見え、前景のみが画面位置Ａ１より手前に飛び出して見えるようになり、最も標準的な立体感が得られる調整となる。
【００５４】
図７（ｂ）は、前景調整用アイコンＣの最大奥行き位置指定端Ｃ１と最大飛出し位置指定端Ｃ２との中央部を総奥行き量の画面位置Ａ１に合わせ、背景調整用アイコンＢの最大奥行き位置指定端Ｂ１及び最大飛出し位置指定端Ｂ２をそれぞれ総奥行き量の最大奥行き位置Ａ２及び前景調整用アイコンＣの最大奥行き位置指定端Ｃ１に合わせるようにしている。このようにすれば、前景が表示画面２０ａの位置に見え、前景の奥行きと背景の奥行きとが連続しており、目に優しく緩やかな立体感が得られる調整となる。
【００５５】
図７（ｃ）は、背景調整用アイコンＢを総奥行き量の最大奥行き位置Ａ２の付近に配置し、前景調整用アイコンＣを総奥行き量の最大飛出し位置Ａ３の付近に配置し、背景調整用アイコンＢと前景調整用アイコンＣとが不連続となるようにしている。このようにすれば、背景は奥深い位置に見え、前景は最大限手前に飛び出して見えるようになり、迫力ある立体感が得られる調整となる。
【００５６】
図７（ｄ）は、前景調整用アイコンＣを総奥行き量の最大飛出し位置Ａ３の付近に配置し、背景調整用アイコンＢを総奥行き量の大部分を占めるように配置している。このようにすれば、草原や海のような景色に対して広がりが強調されて壮大さが増す調整となる。
【００５７】
図７（ｅ）は、背景調整用アイコンＢを総奥行き量の最大奥行き位置Ａ２の付近に配置し、前景調整用アイコンＣを総奥行き量の画面位置Ａ１を跨いでその大部分を占めるように配置している。このようにすれば、物品に接近して撮影したような物撮り映像等において、物品の形状や内部の凹凸感が強調される調整となる。
【００５８】
ここで、図７（ａ）〜（ｅ）に示した背景調整用アイコンＢ及び前景調整用アイコンＣの各調整位置は、立体視映像表示モードに対応させて例えばメモリ部２２ｂ等に保存することができる。すなわち、ユーザは、リモートコントローラ２４のメニューキー２４ｊを操作して、階層構造となされた複数のメニュー画面に分け入ることにより、図８に一例を示すようなモード設定画面３８を映像表示部２０に表示させる。
【００５９】
このモード設定画面３８は、画面内に複数（図示の場合は５つ）のモードキー３８ａ〜３８ｅを作成可能であり、作成された各モードキー３８ａ〜３８ｅにそれぞれユーザが名称を付すことができる。図８では、５つのモードキー３８ａ〜３８ｅが作成され、各モードキー３８ａ〜３８ｅにそれぞれ「標準モード」、「自然モード」、「迫力モード」、「景色モード」、「物撮りモード」なる名称が付加された状態を示している。
【００６０】
そして、図７（ａ）に示した調整位置を標準モードキー３８ａに対応させて保存し、図７（ｂ）に示した調整位置を自然モードキー３８ｂに対応させて保存し、図７（ｃ）に示した調整位置を迫力モードキー３８ｃに対応させて保存し、図７（ｄ）に示した調整位置を景色モードキー３８ｄに対応させて保存し、図７（ｅ）に示した調整位置を物撮りモードキー３８ｅに対応させて保存することができる。
【００６１】
このようにすれば、ユーザは、モード設定画面３８を表示させて、所望のモードキー３８ａ〜３８ｅを操作することにより、その操作されたモードキー３８ａ〜３８ｅに対応して保存されている背景調整用アイコンＢ及び前景調整用アイコンＣの各調整位置で、立体視映像を表示させることができるようになる。
【００６２】
また、ユーザが、背景調整用アイコンＢ及び前景調整用アイコンＣの各調整位置をモードキー３８ａ〜３８ｅに対応させて保存するのではなく、デジタルテレビジョン放送受信装置１１の工場出荷時に、図７（ａ）〜（ｅ）に示した背景調整用アイコンＢ及び前景調整用アイコンＣの各調整位置に対応するモードキー３８ａ〜３８ｅを含むモード設定画面３８を予め用意しておくことも可能である。
【００６３】
さらに、上記した実施の形態では、シャッタ眼鏡方式で立体視映像表示を行なうデジタルテレビジョン放送受信装置１１について説明したが、多視差方式による裸眼型の立体視映像表示を行なう装置についても、背景及び前景について最大飛出し位置と最大奥行き位置とをそれぞれ独立に調整することは可能である。
【００６４】
また、上記した実施の形態では、平面視表示用の映像信号を立体視表示用の映像信号に変換するデジタルテレビジョン放送受信装置１１について説明したが、立体視表示用の映像信号を放送やネットワークサーバ等から取得する装置についても、背景及び前景について最大飛出し位置と最大奥行き位置とをそれぞれ独立に調整することは可能である。この場合、立体視表示用の映像信号の視差量から背景と前景とを分離することも可能である。
【００６５】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図１】
0005851625.tif 000002
【図２】
0005851625.tif 000003
【図３】
0005851625.tif 000004
【図５】
0005851625.tif 000005
【図８】
0005851625.tif 000006
【図４】
0005851625.tif 000007
【図６】
0005851625.tif 000008
【図７】
0005851625.tif 000009